(57)【要約】【課題】  箒で屋外の掃き掃除を行うとき、タイルやコンクリートの平滑な表面に、水に濡れて貼り付いている落ち葉や紙切れは、箒では掃き取ることができない。まして濡れたタイルの目地のような狭い窪みに入り込んだ髪の毛を掃き取ることは不可能である。【解決手段】  適宜の長さを有する掴み体を対向型に配設し、且つ後端部を略Ｕ字型の一体加工または軸着等によって開閉可動し、先端部で物を掴み取る掴み具において、対向型に構成する掴み体の開閉側の先端部にブラシ等、又はウレタン等の弾発体を備えている。【選択図】図１
2016198461.tif 000002
【特許請求の範囲】
【請求項１】
適宜の長さを有する掴み体を対向型に配設し、且つ後端部を略Ｕ字型の一体加工または軸着等によって開閉可動とし、先端部で物を掴み取る掴み具において、対向型に構成する掴み体の開閉側の先端部にブラシ等、又はウレタン等の弾発体を備えたことを特徴とするブラシ付き掴み具。
【請求項２】
ブラシ等又はウレタン等の弾発体が、掴み体に対して前後可動する為のスライド機構を備えた特許請求の範囲１に記載のブラシ付き掴み具。
【請求項３】
ブラシ等又はウレタン等の弾発体が、掴み体に対して反転可動する為の回動機構を備えた特許請求の範囲１に記載のブラシ付き掴み具。
【発明の詳細な説明】
【技術分野】
【０００１】  本発明は、掃除等の作業時に小さなゴミ又は排除する物を掴み取る方法にブラシ又は、ウレタン等を利用したブラシ付き掴み具に関する。
【背景技術】
【０００２】  従来、小さなゴミ又は排除物を取るための掴み具（トング類）は、既に多くの発案が成され、又た販売もされているが、ブラシ又はウレタン等で物を掴み取る方法の掴み具は無かった。
【先行技術文献】
【特許文献】
【０００３】
【特許文献１】  特開  ２００８−１２５２９４
【０００４】
【特許文献２】  特開  ２００１−９６１７８
【発明の概要】
【発明が解決しようとする課題】
【０００５】  従来、箒で屋外の掃き掃除を行うとき、煙草の吸殻等のゴミは掃きとれても、タイルやコンクリートのように平滑な表面に、水に濡れて貼り付いている落ち葉や紙切れは、箒の先がゴミの表面を撫でる程度で掃き取ることができない。まして濡れたタイルの目地底などの狭い窪みに入り込んだ髪の毛を掃き取ることは不可能である。
【課題を解決するための手段】
【０００６】  本発明は、適宜の長さを有する掴み体を対向型に配設し、且つ後端部を略Ｕ字型の一体加工または軸着等によって開閉可動とし、先端部で物を掴み取る掴み具において、対向型に構成する掴み体の開閉側の先端部にブラシ等、又はウレタン等の弾発体を備えている。
【発明の効果】
【０００７】  本発明は、ブラシの特性を利用して、対向型に構成する無数のブラシ毛で細かいゴミを掴み取るので、水に濡れたタイルや庭石等の平滑な面に貼り付いた落ち葉、及び小さな窪みの中などに入り込んでいる髪の毛までも、簡単且つ確実に掴み取ることができる。
又、ブラシに換えて発泡ウレタンを使用しても、ブラシと同様の効果が得られる。
【図面の簡単な説明】
【０００８】
【図１】  本発明の実施例１の正面図である。
【図２】  図１のＡ−Ａ断面図である。
【図３】  図１の開いた状態を示す正面図である。
【図４】  図１のＢ−Ｂ断面図である。
【図５】  本発明の実施例２の正面図である。
【図６】  図５のＣ−Ｃ断面図である。
【図７】  図５の開いた状態を示す正面図である。
【図８】  図６のブラシ体を移動した状態を示す正面図である。
【図９】  図５のＤ−Ｄ断面図である。
【図１０】  本発明の実施例３の正面図である。
【図１１】  図１０の開いた状態を示す正面図である。
【図１２】  図１０のブラシ体を回転した状態を示す正面図である。
【図１３】  図１１のＥ−Ｅ断面図である。
【図１４】  本発明の実施例４の正面図である。
【図１５】  本発明の実施例５の正面図である。
【発明を実施するための形体】
【実施例１】
【０００９】  本発明の実施例１を図１・図２・図３・図４に基づいて詳細に説明する。
図１に示すように、掴み具本体はＡ−Ａ線を堺に上下対象型としていて、掴み体１ａ・１ａは後端部をＵ字型に折り返して一体とし、該折り返し部は素材の弾発力を利用して、先端側を開閉自在としている。また前記掴み体１ａ・１ａの先端部分に、ブラシ毛５ａ・５ａの先端面を対向型に構成するブラシ体４ａ・４ａを設けている。
図２は、ブラシ毛５ａの先端面及び掴み体１ａの内面を表していて、前記ブラシ体４ａは馬蹄型とし、該ブラシ体４ａに設けたブラシ毛５ａも同じく馬蹄型に配列され、且つ該ブラシ毛５ａの先端の面を前記ブラシ体４ａの外周より外側に大きく広げるために、ブラシ毛５ａを放射型に設けている。
図３は、図１の掴み体１ａ・１ａを開いた状態を表していて、本実施例のブラシ付き掴み具を使用するには、開いた状態の掴み具本体を手に持ち、ブラシ毛５ａ・５ａの先端をゴミが存在する面に押し当てて閉じる。このときタイル面のように平滑面や目地底のような窪みにも、無数のブラシ毛５ａの細かな先端が、自在に密着した状態でゴミを掴むので、紙切れや髪の毛のように高さが極めて小さなゴミも、確実に掴み取ることができる。
図４に示すように、掴み体１ａ・１ａとブラシ体４ａ・４ａ及びブラシ毛５ａ・５ａのそれぞれが対向型に構成しており、この実施例は断面を山型とする掴み体１ａ・１ａの両端部から内側に向けて形成する爪部３・３に、前記ブラシ体４ａ・４ａの両側面に形成する嵌合溝６・６を嵌め入れているが、掴み体１ａにブラシ体４ａを固着する方法はこれに限るものではない。
また本実施例において掴み具に用いるブラシ毛の素材は、何ら限定するものではなく、ブラシ以外に小さな箒状の物でも、得られる効果は変わらない。
更にブラシを着脱式にすると、ブラシ毛が痛んだときに、新しいブラシと交換できるので良い。【００１０】  次に、本発明の実施例２を図５・図６・図７・図８・図９に基づいて詳細に説明する。
本実施例はブラシ毛でゴミを掴み取ることに合わせて、ブラシ毛を可動収納することで掴み具の先端でも物を掴めるようにしている。
先ず、図５はブラシ体４ｂ・４ｂを後退した状態を表していて、実施例１と同様にＵ字の折り返し型に構成する掴み体１ｂ・１ｂは断面を山型とし、その両端部の長手方向に沿い、且つ内側に向けてガイド部１１・１１を形成し、掴み体１ｂ・１ｂの先端部に掴み部２・２を設けて掴み具本体としている。
また、図視するようにブラシ体４ｂ・４ｂを後退したとき、ブラシ体４ｂ・４ｂが停止する位置を前後にずらすことで、前記掴み体４ｂ・４ｂを閉じたときの相互の間隔を狭くできるので、結果として掴み部２・２の内方に向けた湾曲の度合いを小さくできる。
更に前記ガイド部１１ａ・１１ｂと前記山型の掴み体１ｂ・１ｂとによって形成された空間内に、前後可動とする適宜の長さを有する可動体１２・１２を配設してスライド機構を構成し、該可動体１２・１２の開閉側の先端部に、ブラシ毛５ｂ・５ｂを有するブラシ体４ｂ・４ｂを設け、更に該可動体１２・１２の後端部にストッパー１３・１３を設けている。
そして、前記ブラシ体４ｂ・４ｂの停止する位置をずらす方法は、対向型に配置する前記可動体１２・１２の長さはどちらも同じとして、前記ガイド部１１ｂの長さをガイド部１１ａの長さよりブラシ体４ｂの分だけ短くしている。【００１１】  図６はブラシ毛５ｂ先端面及びスライド機構を表していて、該ブラシ毛５ｂはブラシ体４ｂにコの字型に配設しているが、前記実施例１と同じくブラシ毛５ａの先端をブラシ体４ｂの外周より大きくするためにブラシ毛５ｂを放射型に設けている。
またガイド部１１ａ・１１ｂは、図９に示すように、断面を山型とする掴み体１ｂの長手方向の中央付近の両端から互いに内方に向けて延設し，且つ該ガイド部１１ａと１１ｂの間に適宜な隙間を保つものとしている。そして該ガイド部１１ａ・１１ｂと前記掴み体によって形成された空間内に可動体１２を配設してスライド機構としている。更に該可動体１２の先端部に前記ブラシ体４ｂを設け、且つ後端部にはストッパー１３をビス固定している。【００１２】  図７は図５に示す掴み体１ｂ・１ｂを開いたときの掴み具本体を表していて、この状態において掴み具本体を使用すると、先端部に形成する掴み部２・２によって、従来の掴み具と同様に大きめのゴミを掴み取ることもできる。【００１３】  図８は図７に示すブラシ体４ｂ・４ｂを矢印の方向に前進した状態を表していて、実施例１と同じく、ブラシ体４ｂ・４ｂは掴み部２・２の先端より少し前に出ている。
またブラシ体４ｂ・４ｂが掴み部２・２の先端に当接すことで、可動体１２・１２が内側に若干反るのでバネ効果が生じ、ブラシ体４ｂ・４ｂは掴み部２・２に密着して安定する。
従って、本実施例は前記実施例１と同じ効果が得られ、更に従来の掴み具と同じ使い方もできる。【００１４】  図９は掴み具本体のスライド機構の部分を表していて、断面を山型とする掴み体１ｂ・１ｂの両端部から内方に向けてガイド部１１ａ・１１ｂを形成し、且つ該ガイド部１１ａ・１１ｂと前記掴み体１ｂ・１ｂによって形成される空間内に可動体１２を配設し、更にブラシ毛５ｂを設けたブラシ体４ｂは、可動体１２に面して段部７を形成し、該段部７と可動体１２によって形成される隙間に、前記ガイド部１１ｂを挿入している。【００１５】  次に本発明の実施例３を図１０・図１１・図１２・図１３に基づいて詳細に説明する。
図１０は対向型に構成する掴み体１ｃ・１ｃを閉じた内側に、可動ブラシ体８を回転させて収納したときの正面図であって、掴み体１ｃ・１ｃに形成するそれぞれの掴み部２・２に隣接する位置に軸受け部１４・１４を形成し、該軸受け部１４・１４にブラシ毛５ｂ・５ｂを設けた可動ブラシ体８・８を軸着している。
図１１は図１０に示す掴み体１ｃ・１ｃを開いたときの掴み具本体を表していて、この状態のまま掴み具本体を使用すると、掴み部２・２によって従来の掴み具と同様に大きめのゴミを掴み取ることができる。
図１２は図１１に示す矢印に従って、可動ブラシ体８を軸体１５を芯にしてほぼ１８０度回転した状態を表していて、ブラシ毛５ｂ・５ｂによって前記実施例１と全く同じ作用による効果が得られる。
図１３は対向型に構成する断面を山型とする掴み体１ｃ・１ｃの両端部に軸受け部１４・１４を延設し、該軸受け部１４・１４に軸体１５・１５を介して可動ブラシ体８・８を設けている。【００１６】  次に本発明の実施例４を図１４に基づいて詳細に説明する。
本実施例の可動ブラシ体１６は、前記実施例３とは逆に掴み具本体の両外側に設けていて、使い方に応じて可動ブラシ体１６を矢印の方向に移動する。
本実施例の作用と効果は実施例２と同じである。【００１７】  次に本発明の実施例５を図１５に基づいて詳細に説明する。
本実施例の可動ブラシ体１７は、軸体１５によって掴み体１ｅ・１ｅに対して平行に円移動する。
本実施例も作用と効果は実施例２と同じである。
【符号の説明】
【００１８】  １ａ・１ｂ・１ｃ・１ｄ・１ｅ：掴み体        ２：掴み部
３：爪部                                    ４ａ・４ｂ：ブラシ体
５ａ・５ｂ：ブラシ毛                        ６：嵌合溝
７：段部                                    ８・１６・１７：可動ブラシ体
１１ａ・１１ｂ：ガイド部                    １２：可動体
１３：ストッパー                            １４：軸受け部
１５：軸体
【図１】
2016198461.tif 000003
【図２】
2016198461.tif 000004
【図３】
2016198461.tif 000005
【図４】
2016198461.tif 000006
【図５】
2016198461.tif 000007
【図６】
2016198461.tif 000008
【図７】
2016198461.tif 000009
【図８】
2016198461.tif 000010
【図９】
2016198461.tif 000011
【図１０】
2016198461.tif 000012
【図１１】
2016198461.tif 000013
【図１２】
2016198461.tif 000014
【図１３】
2016198461.tif 000015
【図１４】
2016198461.tif 000016
【図１５】
2016198461.tif 000017